(57)【特許請求の範囲】
【請求項１】
荒縄をより合わせ、縄の捩りが変化することにより斜面の凹凸に密着する太縄状の土砂流亡防止材を等高線状に適宜間隔で配置した、表面を繊維により毛羽立たせている植物性繊維からなる網状体を、土砂を抱え込むように保持するよう土砂流亡防止材の中央部を若干法尻方向に湾曲させて斜面に張設することを特徴とする斜面の緑化方法。
【請求項２】
荒縄をより合わせ、縄の捩りが変化することにより斜面の凹凸に密着する太縄状の土砂流亡防止材を等高線状に適宜間隔で配置した、表面を繊維により毛羽立たせている植物性繊維からなる網状体を、土砂を抱え込むように保持するよう土砂流亡防止材の中央部を若干法尻方向に湾曲させて斜面に張設した後に、少なくとも施工地周辺植生の埋土種子を含む表層土を客土することを特徴とする斜面の緑化方法。
【発明の詳細な説明】
【０００１】
【発明の属する技術分野】
本発明は、法面保護・緑化方法に関するもので、環境負荷を低減させ、かつ、周辺の生態系により近い植生を復元させる効果を有する緑化方法に係るものである。
【０００２】
【従来の技術】
近年、斜面等の緑化方法では、生育の早い外来草本や肥料木等を中心とする植物による早期緑化が実施されている。このことは、斜面を早く保護することで表面侵食を防げる反面、現地の生態系を混乱させる要因ともなっており、環境保全の観点から、周辺の生態系に配慮した緑化が望まれている。
【０００３】
その為、斜面を裸地のまま放置して自然にまかせたり、現地植生の埋土種子を含む表土を緑化対象地に客土する工法が開発されている。
【０００４】
しかしながら、上記した方法・工法にも、いくつかの問題点があることが判明し、その解決が求められていた。
即ち、裸地のまま放置するだけでは、周辺からの飛来種子が定着しにくいため緑化に時間がかかる事や、降雨等による侵食を受けやすいという問題点が、また、表土をただ単に撒き出す又は吹付けるだけでは、降雨等により生育基盤や埋土種子が流亡したり、基盤が不安定なために発芽した種子が定着できず生育し難いという問題が存在していた。
【０００５】
【発明が解決しようとする課題】
本発明は上記事情に鑑みて成されたものであり、本発明の目的は、周辺植生の種子を定着させ易くし、降雨による侵食や基盤・種子流亡を防ぐことにより、出来る限り周辺環境に負荷を与えない形で、効率的に周辺生態系に近い植生を復元させる緑化方法を提供することにある。
【０００６】
【課題を解決するための手段】
即ち、本発明による緑化方法は、荒縄をより合わせ、縄の捩りが変化することにより斜面の凹凸に密着する太縄状の土砂流亡防止材を等高線状に適宜間隔で配置した、表面を繊維により毛羽立たせている植物性繊維からなる網状体を、土砂を抱え込むように保持するよう土砂流亡防止材の中央部を若干法尻方向に湾曲させて斜面に張設することを特徴としている（請求項１）。
【０００７】
上記の方法によれば、この網状体を斜面に直に張設することで、降雨等による侵食防止が図られ現地植生による緑化を期することができる。太縄状の土砂流亡防止材は、斜面の凹凸に応じて自然に縄の撚りが変化することにより、斜面の凹凸に密着することができるため、土砂の堰き止め効果が非常に高い。
【０００８】
よって、斜面における地表面の埋土種子の生育基盤が確保されるため、その生育と共に緑化が達成される。網状体設置場所に元来存在している埋土種子の生育を期待する場合は、網状体下に生育基盤を造成するとその下の元来在る埋土種子が発芽できないため、生育基盤は造成せずに網状体を地表面に直に敷設する。
これに加えて、周辺からの飛来種子を効率良く定着且つ保持するとともに、植生基盤となる土砂を網状体上に堆積させることができる。
【０００９】
また、この網状体を、例えばダム湖岸の帯状裸地や河川護岸等の冠水斜面に張設した場合は、上記の効果に加えて、水により流されてくる浮遊種子をも捕捉且つ保持する事ができる。
【００１０】
さらに、上記した堆積土砂を植生基盤にして、飛来・浮遊種子が生育するのであって、これによって飛来・浮遊種子による周辺植生の復元が、自然放置した状態よりも早期に達成されるようになる。
【００１１】
また、このような網状体をすべて腐蝕性の素材で構成した場合、施工後数年で腐蝕分解され生育基盤の一部となり、周辺環境への負荷が極めて少ない。
【００１２】
また、第２発明は、荒縄をより合わせ、縄の捩りが変化することにより斜面の凹凸に密着する太縄状の土砂流亡防止材を等高線状に適宜間隔で配置した、表面を繊維により毛羽立たせている植物性繊維からなる網状体を、土砂を抱え込むように保持するよう土砂流亡防止材の中央部を若干法尻方向に湾曲させて斜面に張設した後に、少なくとも施工地周辺植生の埋土種子を含む表層土を客土することを特徴とする（請求項２）。
【００１３】
これにより、設置場所の埋土種子の有無に関わらず、周辺植生の種子を当初から導入出来ることから、より確実な緑化を図る上で好適である。
【００１４】
こうすると、撒き出しや吹き付けにより客土された表層土は、土砂流亡防止材を等高線状に適宜間隔で配置してあるために、流亡する事無く安定し、又表層土内に含まれる周辺植生の種子も流亡すること無く順調に発芽し、周辺植生をより確実に復元することが可能である。
【００１５】
このように、より確実な周辺植生の復元を図る上で、上記の施工地周辺植生の埋土種子を含む表層土を、例えば土壌改良材、保水材、有機堆肥、植物性繊維などと適宜に混合させて、これを斜面に客土する導入形態をとることも好適である。
【００１６】
【発明の実施の形態】
以下、本発明の実施の形態を図面に基づいて説明する。図１及び図２は、例えば斜面Ｎの緑化の施工状況を示し、具体的には、飛来種子５及び埋土種子６による緑化方法の施工状況を示しており、この施工に際して、太縄状の土砂流亡防止材２を等高線状に適宜間隔で配置した網状体１を用意する。
【００１７】
即ち、図３に示すように、本発明に使用する、太縄状の土砂流亡防止材２を等高線状に適宜間隔で配置した網状体１の形態は、ネット３に土砂流亡防止材２を等高線状に適宜間隔、例えば２０〜１００ｃｍ間隔で配置したものである。
【００１８】
上記網状体１の具体的素材としては、例えば、法面の起伏になじみ且つ土砂扞止能力を有する程度の強度があれば、植物性、化学性、金属性のいずれの材質でもよいが、施工後植物が生育して斜面保護を植物の根茎及び茎葉で実現した段階で腐蝕して消失することが要望される場合には、植物性の、例えばヤシ繊維や麻の繊維などの素材が適している。
【００１９】
上記ネット３の形態は、例えばヤシ繊維のような植物性の繊維を素材とした場合、植物性繊維をより合わせて形成した、表面を繊維により毛羽立たせている荒縄４を、植物の成長を阻害せず且つ周辺植生の種子が通入出来る程度の目合い、例えば２〜１０ｃｍの目合いで格子状に編み合わせたものである。
【００２０】
また、図示はしないが、ネットを二枚重ねる、若しくはそれ以上の多層構造にすることで、網状体の強度を増加させることが出来る。
【００２１】
上記土砂流亡防止材２の形態は、例えばヤシ繊維のような植物性の繊維で形成した太い、例えばφ２０ｍｍ〜１００ｍｍの縄状のものであるが、取扱上φ２０〜５０ｍｍが好ましい。望ましくはネット３を植物性とし、ネット３を構成する荒縄４を更に４〜１０本より合わせて土砂流亡防止材２を形成することが可能である。
【００２２】
植物性繊維を素材とした場合、土砂流亡防止材２・ネット３共に保水機能を有することとなり、植物の生育上好ましい。
【００２３】
また、例えばオナモミやアメリカセンダングサ等の有刺種子が飛来してきた場合は、その刺を植物性繊維により捕捉しやすいため、網状体１の種子収集力が向上する。
【００２４】
そして、上記網状体１の形態は、例えばネット３にスリットを入れて、そのスリットに土砂流亡防止材２を縫うように通す、接着剤によりネット３に土砂流亡防止材２を固定する、紐状物でネット３に土砂流亡防止材２を結束するなど適宜方法で、土砂流亡防止材２をネット３に等高線状となるよう装着したものである。
【００２５】
図１及び図２に戻って、斜面Ｎの緑化の施工に際して、太縄状の土砂流亡防止材２を等高線状に適宜間隔で配置した網状体１を用意し、アンカーピン８などを用いて、この網状体１を斜面Ｎに固定するのである。
【００２６】
上記の緑化方法によれば、斜面上に張設した網状体１が、降雨等による斜面Ｎの表面侵食を防止しつつ水分を蓄え、埋土種子６の生育を助長するとともに、土砂流亡防止材２により、周辺植生からの飛来種子５を効率良く定着且つ保持し、また、網状体１上に生育基盤となる堆積土砂９を形成させる。
【００２７】
この際、太縄状の土砂流亡防止材の中央部を若干法尻方向に湾曲させて設置する場合もあり、流出する土砂を抱え込むように保持するため、土砂の堰き止め効果を高めることができる。
【００２８】
そして、周辺植生からの飛来種子５は、土壌の少ない斜面Ｎであっても、網状体１からの水分供給を受け、堆積土砂９を植生基盤として発芽し、これによって斜面Ｎ上における植物の生育が、周辺生態系により近い形で、適宜の間隔を隔てて開始されることとなる。
【００２９】
また、網状体１の張設方法として、通常、土砂流亡防止材２が等高線状となるように張設するが、意図的に土砂流亡防止材２を横一直線にならないよう、例えば段違いになるように網状体１を張設してもよい。
【００３０】
網状体１を斜面Ｎ上に張設することに加えて、図４及び図５に示すように、少なくとも施工地周辺植生の埋土種子６を含む表層土７を客土することにより、上記と同様の効果を実現することができる。
【００３１】
この場合、客土する表層土７として、緑化すべき斜面Ｎ周辺の埋土種子６を含むものを選択することが望ましく、埋土種子６を最も多く含む表面から５〜１５ｃｍの層を中心に採取しておく必要がある。採取方法は人力、あるいはバックホー等を使用し、目視可能な石礫や根株は除外するよう注意する。
【００３２】
しかし、表層土７の採取域は、緑化すべき斜面Ｎの周辺のみに限られるものではなく、周辺植生としてより広域な植生が許容されるならば、例えば近隣の大規模な土地造成を行うニュータウンの開発域や道路等の建設域なども採取対象地とされる。
【００３３】
このようにして採取した表層土７を植生基盤として、これをそのまま斜面Ｎに撒き出しや吹き付け等の手段で客土してもよいのであるが、例えば土壌改良材、保水材、有機堆肥、植物性繊維などを適宜に配合した植生基材に、埋土種子６を含む表層土７を混入したものを植生基盤として、これを客土してもよい。
【００３４】
保水材としては、パーライト、バーミキュライト、高吸水性ポリマーなどが選択され、土壌改良材としては、ピートモス、バーク堆肥、ベントナイトが選択される。
【００３５】
図４及び図５に戻って、斜面Ｎ上に張設した網状体１の土砂流亡防止材２により、降雨等による表層土７の流亡を防止し、埋土種子６の移動も防止する。
【００３６】
そして、表層土７が含む先駆性の埋土種子６及び周辺からの飛来種子５は、土壌の少ない斜面Ｎであっても、表層土７を植生基盤として発芽し、よく生育するのであって、これによって斜面Ｎ上の植物の生育が、周辺生態系により近い形で開始されることとなる。
【００３７】
また、施工地が急傾斜地であり、早期に植物による保護が必要な場合等には、トールフェスク・クリーピングレッドフェスク・メドハギ・ヤマハギ・ススキ等の植物種子を、種子吹付材あるいは厚層基材用吹付材に混入させて使用することもある。
【００３８】
その場合、周辺植生との調和を図る方法として、例えば、一年草あるいは短年草といわれる、イタリアンライグラス等を少量導入すると、早期に斜面Ｎは植生により被覆され、その後時間経過と共にこれらの一年草は衰退していくため、生態系に影響を与えない。つまり、網状体１を斜面Ｎに張設した後に、この様な一年草の種子を吹付、若しくは上記植生基盤と共に客土することで、初期の表層侵食を防止し、生態系へ影響を与えずに周辺植生の復元が可能となる。
【００３９】
【発明の効果】
本発明は以上のように、太縄状の土砂流亡防止材２を等高線状に適宜間隔で配置した網状体１を単に斜面に張設するのみで、太縄状の土砂流亡防止材２を等高線状に適宜間隔で配置させた事により、堆積土砂９を植生基盤として網状体１上に形成させ、安定して埋土種子６を発芽生育させるとともに、周辺からの飛来種子５を効率良く定着・保持及び発芽生育させることが可能で、従来の自然放置型緑化以上の効果を発揮することが出来た。
【００４０】
更に、太縄状の土砂流亡防止材２を等高線状に適宜間隔で配置した網状体１を斜面に張設した後に、少なくとも施工地周辺植生の埋土種子６を含む表層土７を客土した場合、客土された表層土７は土砂流亡防止材２の効果で流される事無く安定し、表層土７内に含まれる埋土種子６及び周辺植生の飛来種子５が順調に発芽する為、周辺植生をより確実且つ早期に復元することができる。
【００４１】
また、網状体１を形成する素材をすべて植物性のものを使用した場合、施工後数年で網状体は腐食分解され、生育基盤の一部となるとともに、周辺環境へ負荷をほとんど与えない。
【図面の簡単な説明】
【図１】  斜面に対する緑化の初期段階の状況を示す断面図である。
【図２】  斜面に対する緑化の植物生育段階の状況を示す断面図である。
【図３】  本発明に使用する網状体を示す斜視図、及び要部の拡大図である。
【図４】  別の実施形態による斜面に対する緑化の初期段階の状況を示す断面図である。
【図５】  別の実施形態による斜面に対する緑化の植物生育段階の状況を示す断面図である。
【符号の説明】
１…網状体、２…土砂流亡防止材、３…ネット、４…荒縄、５…飛来種子、６…埋土種子、７…表層土、８…アンカーピン、９…堆積土砂。
【図１】
0004257889.tif 000002
【図２】
0004257889.tif 000003
【図３】
0004257889.tif 000004
【図４】
0004257889.tif 000005
【図５】
0004257889.tif 000006